(57)【要約】【課題】  コンティニュアス型のインクジェットプリンタ用光硬化型インクにおいて、少ない溶剤量で導電性を付与でき、印字特性を向上させる。【解決手段】  光照射によって硬化する光硬化型インクにおいて、樹脂と着色体と光反応開始剤と導電剤と溶剤とを含み、前記導電剤はフェニル基が複数個配位したホウ酸陰イオンと金属陽イオンとからなる塩であり、前記溶剤は環状カーボネートまたはアルコールの少なくとも何れかである。【選択図】図１
2014105298.tif 000002
【特許請求の範囲】
【請求項１】
光照射によって硬化する光硬化型インクにおいて、樹脂と着色体と光反応開始剤と導電剤と溶剤とを含み、前記導電剤はフェニル基が複数個配位したホウ酸陰イオンと金属陽イオンとからなる塩であり、前記溶剤は環状カーボネートまたはアルコールの少なくとも何れかであることを特徴とする光硬化型インク。
【請求項２】
請求項１に記載の光硬化型インクにおいて、前記金属陽イオンはナトリウムまたはリチウムであることを特徴とする光硬化型インク
【請求項３】
請求項１に記載の光硬化型インクにおいて、前記フェニル基が複数個配位したホウ酸陰イオンはテトラフェニルホウ酸イオンであることを特徴とする光硬化型インク
【請求項４】
請求項１に記載の光硬化型インクにおいて、前記環状カーボネートはプロピレンカーボネートまたはビニレンカーボネートであることを特徴とする光硬化型インク
【請求項５】
請求項１のインクを吐出する印字機構と、前記インクを硬化させる光源とを備えることを特徴とするマーキングシステム。
【請求項６】
請求項５のマーキングシステムにおいて、前記光源はＬＥＤ光源であることを特徴とするマーキングシステム。
【発明の詳細な説明】
【技術分野】
【０００１】
本発明は、光硬化型インクおよびマーキングシステムに関する。
【背景技術】
【０００２】
インクジェット記録方式に用いられるインクには、樹脂や染料・顔料を速乾性の有機溶剤に溶解したインクを用いるソルベント系インクや、記録後に紫外線等を照射して架橋させる光硬化型インクなどがある。中でも、光硬化型インクは、ソルベント系インクに比べ、印字物の耐溶剤性、インクからの揮発成分量が少ない等のメリットがある。
【０００３】
また、インクジェット記録方式は、コンティニュアス型とオンデマンド型に分類できる。図１にコンティニュアス型インクジェットプリンタの概略図を示す。コンティニュアス型は、ポンプでノズル部に移送されたインクが、超音波発振器によって加振されることで、連続的に押し出された後微小な液滴になる。インク滴はノズル１から帯電電極２によって所定の電荷が加えられ、偏向電極３で軌道を曲げられて印字面４に到達する。偏向電極で曲げられなかった非帯電インク滴はガター５と呼ばれる回収口に吸い込まれ、インクタンクに戻り再利用される。連続的にインクを押し出すことから速乾性のインクも使用できるなどインクの選択幅が広く、また、超音波振動で作られるインク滴は毎秒数万滴以上で生成することが可能であり高速印字が可能であることから工業用のマーカーとして利用されている。
【０００４】
例えば特許文献１には、ＵＶ硬化型インクに環状カーボネートまたは環状ラクトンを添加することによって極性が高められ、光重合開始剤の溶解性を向上させて安定なインクジェットインクとすることが開示されている。
【先行技術文献】
【特許文献】
【０００５】
【特許文献１】特開２００７−１３７９２５号公報
【発明の概要】
【発明が解決しようとする課題】
【０００６】
コンティニュアス型のインクジェットプリンタ用インクは前述のように液滴に帯電させるために導電性を付与する必要がある。この場合のインクの多くはソルベント系インクが多いが、ソルベント系インクは溶剤成分が７０％以上を占めるため、極性の高い溶剤を用いることで容易に導電性を付与することができる。これに対し、光硬化型インクは主成分が比較的極性の低い樹脂であるため、導電剤の溶解性およびインク中での電離度が通常の溶剤成分よりも低く、ソルベント系インクに比べ導電性を付与しにくい。しかし光硬化型インクに溶剤を多く加えると溶剤の乾燥に時間がかかるため、光硬化後の印字物がにじみやすくなる。
【０００７】
本発明の目的は、少ない溶剤量で導電性を付与でき、印字特性を向上させることにある。
【課題を解決するための手段】
【０００８】
上記課題を解決するために、本発明は、光照射によって硬化する光硬化型インクにおいて、樹脂と着色体と光反応開始剤と導電剤と溶剤とを含み、前記導電剤はフェニル基が複数個配位したホウ酸陰イオンと金属陽イオンとからなる塩であり、前記溶剤は環状カーボネートまたはアルコールの少なくとも何れかであることを特徴とする。
【発明の効果】
【０００９】
本発明によれば、少ない溶剤量で導電性を付与でき、印字特性を向上させることができる。
【図面の簡単な説明】
【００１０】
【図１】印字ヘッドの模式図。
【図２】印字ヘッドと光硬化装置の模式図。
【発明を実施するための形態】
【００１１】
溶剤の環状カーボネート系材料は有機物質に溶解し易く、且つ、極性が高いことから、溶剤に溶解した導電剤をインク中で電離させやすくするので、より少ない溶剤量でインクの導電性を付与できる。また導電剤は、フェニル基が複数個配位したホウ酸陰イオンと金属陽イオンからなる塩である化合物を用いることで、陰イオンの部分が樹脂に対する導電剤の溶解性を付与するとともに、陽イオンと陰イオンが電離しやすいので、少量の溶剤成分でも導電性を示す。フェニル基が複数個配位したホウ酸陰イオンと金属陽イオンからなる導電剤は、それ自身が電離しやすいが、溶剤に極性の大きな環状カーボネートを含むことでさらに電離しやすくなり、少量の溶剤成分でも導電性が向上する。
【００１２】
光は、光反応開始剤に吸収され、光反応開始剤を分解できる波長の光であれば特に限定されない。電磁波、紫外線、可視光線、赤外線、電子線、ガンマー線などがあげられる。これらの中でも、特に紫外線が好ましい。紫外線による硬化の場合、波長が１００〜４５０ｎｍ程度の領域が好ましい。このような光源としては、太陽光線、低圧水銀灯、高圧水銀灯、超高圧水銀灯、メタルハライド灯、ガリウム灯、キセノン灯、カーボンアーク灯の他、ＬＥＤランプ等が挙げられる。これらの中でも特に、ＬＥＤランプはインク吐出のタイミングに連動して、高速に点灯、消灯できる点、およびランプ寿命が長く、消費電力が小さい点において特に好ましい。これらの光源の他に、赤外線、遠赤外線、熱風、高周波加熱等による熱の併用も可能である。
【００１３】
樹脂は、ビニル基、ビニルエーテル基、エポキシ基、オキセタニル基、チオール基、（メタ）アクリレート基等の重合性を有する官能基を分子構造内に有する樹脂であれば特に制限されない。具体的にはメチルビニルエーテル、エチルビニルエーテル、ブチルビニルエーテル、イソブチルビニルエーテル、２−エチルヘキシルビニルエーテル、シクロヘキシルビニルエーテル、メトキシエチルビニルエーテル、オクタデシルビニルエーテル、シクロヘキサンジメタノールモノビニルエーテル、ヒドロキシブチルビニルエーテル、メトキシポリエチレングリコールビニルエーテル、エチレングリコールジビニルエーテル、１，３−プロパンジオールジビニルエーテル、プロピレングリコールジビニルエーテル、１，４−ブタンジオールジビニルエーテル、１，３−ブタンジオールジビニルエーテル、１，２−ブタンジオールジビニルエーテル、２，３−ブタンジオールジビニルエーテル、１−メチル−１，３−プロパンジオールジビニルエーテル、２−メチル−１，３−プロパンジオールジビニルエーテル、２−メチル−１，２−プロパンジオールジビニルエーテル、１，５−ペンタンジオールジビニルエーテル、１，６−ヘキサンジオールジビニルエーテル、シクロヘキサン−１，４−ジオールジビニルエーテル、シクロヘキサン−１，４−ジメタノールジビニルエーテル、ｐ−キシレングリコールジビニルエーテル、ジエチレングリコールジビニルエーテル、トリエチレングリコールジビニルエーテル、テトラエチレングリコールジビニルエーテル、ポリエチレングリコールジビニルエーテル、ジプロピレングリコールジビニルエーテル、トリプロピレングリコールジビニルエーテル、テトラプロピレングリコールジビニルエーテル、ポリプロピレングリコールジビニルエーテル、エチレングリコールプロピレングリコール共重合体ジビニルエーテル等のビニルエーテル系樹脂が挙げられる。これらの中でも特に、ジエチレングリコールジビニルエーテル、トリエチレングリコールジビニルエーテル、シクロヘキシルビニルエーテル、シクロヘキサンジメタノールジビニルエーテル等は粘度も低く反応性も高いことから好ましく例示される。
【００１４】
（メタ）アクリレート系樹脂としてはフェノキシグリコール(メタ)アクリレート、フェノキシエチレングリコール(メタ)アクリレート、フェノキシポリエチレングリコール(メタ)アクリレート、メトキシトリエチレングリコール(メタ)アクリレート、メトキシポリエチレングリコール(メタ)アクリレート、ベヘニル(メタ)アクリレート、イソボロニル(メタ)アクリレート、オクトキシポリエチレングリコール(メタ)アクリレート、2-ヒドロキシ-3-フェノキシプロピル(メタ)アクリレート、イソステアリル(メタ)アクリレート、ラウリル(メタ)アクリレート、ポリエチレングリコールジ(メタ)アクリレート、エトキシ化ビスフェノールAジ(メタ)アクリレート、プロポキシ化ビスフェノールＡジ(メタ)アクリレート、1,10−デカンジオールジ(メタ)アクリレート、シクロデカンジメタノールジ(メタ)アクリレート、エトキシ化２メチル1,3プロパンジオールジ(メタ)アクリレート、ネオペンチルグリコールジ(メタ)アクリレート、２ヒドロキシ３アクリロイキシプロピルメタクリレート、プロポキシ化エトキシ化ビスフェノールＡジ(メタ)アクリレート、1,6ヘキサンジオールジ(メタ)アクリレート、1,9ノナンジオールジ(メタ)アクリレート、ジプロピレングリコールジアクリレート、トリプロピレングリコールジ(メタ)アクリレート、ポリプロピレングリコールジ(メタ)アクリレート、エチレングリコールジ(メタ)アクリレート、リエチレングリコールジ(メタ)アクリレート、トリエチレングリコールジ(メタ)アクリレート、テトラエチレングリコールジ(メタ)アクリレート、エトキシ化イソシアヌル酸トリアクリレート、エトキシ化トリメチロールプロパントリ（メタ）アクリレート、トリメチルプールプロパントリ(メタ)アクリレート、プロポキシ化トリメチロールプロパントリアクリレート、ペンタエリスリトールトリアクリレート、エトキシ化ペンタエリスリトールテトラ(メタ)アクリレート、ジトリメチロールプロパンテトラ（メタ）アクリレート、プロポキシ化ペンタエリスリトールテトラ(メタ)アクリレート、ペンタエリスリトールテトラ(メタ)アクリレート、ジペンタエリスリトールヘキサ(メタ)アクリレート、ベンジル(メタ)アクリレート、シクロヘキシル(メタ)アクリレート、シクロペンタニル(メタ)アクリレート、シクロペンテニル(メタ)アクリレート、アダマンチェル(メタ)アクリレートなどがあげられる。また、ポリ（メタ）アクリル酸メチル、エトキシ化ビスフェノールA型アクレート、芳香族ウレタンアクリレート、脂肪族ウレタンアクリレート、ポリエステルアクリレートのポリマー骨格に重合性官能基がついた樹脂を用いることもできる。この他、室温での粘度が低く、分子鎖末端にアクリレート基かメタクリレート基が形成されているものであれば基本的に本発明にもちいることができる。
【００１５】
また、重合性官能基としてエポキシ基、オキセタニル基を持つ樹脂成分としては、アリルグリシジルエーテル、２エチルヘキシルグリシジルエーテル、フェニルグリシジルエーテル、フェノールポリエチレングリコールグリシジルエーテル、ネオペンチルグリコールジグリシジルエーテル、エチレングリコールジグリシジルエーテル、ジエチレングリコールジグリシジルエーテル、ポリエチレングリコールジグリシジルエーテル、1,6-ヘキサンジオールグリシジルエーテル、1,4-ブタンジオールグリシジルエーテル、ソルビトールポリグリシジルエーテル、ペンタエリスリトールポリグリシジルエーテル、トリメチロールプロパンポリグリシジルエーテル、１ビニル３，４エポキシシクロヘキサン、メタクリル酸[(3,4-エポキシシクロヘキサン)-1-イル]メチル、1,2、8,9ジエポキシリモネン、(3,4-エポキシシクロヘキシル)メチル-3,4-エポキシシクロヘキシルカルボキシレート、ブタンテトラカルボン酸 テトラ（3,4-エポキシシクロヘキシルメチル) 修飾ε-カプロラクトン等のモノマ成分の他、低分子量の脂環式エポキシド、ビスフェノールＡ系エポキシド、水添ビスフェノールＡ系エポキシド、ビスフェノールＦ系エポキシド、ノボラック型エポキシド、脂肪族環式エポキシド、ナフタレン型エポキシド、ビフェニル型エポキシド、2官能アルコールエーテル型エポキシド、アクリル変性脂環式エポキシド、2官能アルコールエーテル型エポキシド等が例示される。
【００１６】
オキセタニル基を有するものとしては、3-エチル-3-ヒドロキシメチルオキセタン、1,4-ビス[(3-エチル-3-オキセタニルメトキシ)メチル]ベンゼン、3-エチル-3-（フェノキシメチル）オキセタン、ジ[1-エチル（3-オキセタニル）] メチルエーテル、3-エチル-3-（2-エチルヘキシロキシメチル）オキセタン、3-エチル-3-｛[3-（トリエトキシシリル）プロポキシ]メチル｝オキセタン、オキセタニルシルセスキオキサン、フェノールノボラックオキセタン等が例示される。
【００１７】
この他、反応性希釈成分としてはＮ−ビニルピロリドン、アクリロイルモルフォリン、Ｎ，Ｎ−ジメチルアクリルアミド、Ｎ−メチロールアクリルアミド、Ｎ，Ｎ−ジメチルアミノプロピルアクリルアミド、ビニル（メタ）アクリレート、アリル（メタ）アクリレート、メタアリル（メタ）アクリレートなどが例示される。これら樹脂成分を単独で用いる場合の他、複数をしてもよい。
【００１８】
着色体は、重合性官能基を有する樹脂成分や溶剤成分に対し溶解し、発色するものであれば特に制限はない。具体的にはVALIFAST YELLOW 3150, VALIFAST YELLOW 3170, VALIFAST YELLOW 4120, VALIFAST YELLOW 4121, VALIFAST ORANGE 2210, VALIFAST ORANGE 3209, VALIFAST RED 1306, VALIFAST RED 2320, VALIFAST RED 3311, VALIFAST RED 3312, VALIFAST PINK 2310N, VALIFAST BROWN 3402, VALIFAST BLUE 1605, VALIFAST BLUE 1621, VALIFAST BLUE 2620, VALIFAST BLUE 2627, VALIFAST BLUE 2670, VALIFAST BLACK 1807, VALIFAST BLACK 3804, VALIFAST BLACK 3810, VALIFAST BLACK 3820, VALIFAST BLACK 3830, VALIFAST BLACK 3840, VALIFAST BLACK 3866, VALIFAST BLACK 3870(以上オリエント化学製), ORASOL Yellow 2GLN, ORASOL Yellow 3R, ORASOL Yellow 2RLN, ORASOL Orange G, ORASOL Orange RG, ORASOL Brown 2GL, ORASOL Brown 2RG, ORASOL Brown 6RL, ORASOL Red 3GL, ORASOL Red 2B, ORASOL Red G, ORASOL Red BL, ORASOL Pink 5BLG, ORASOL Blue GN, ORASOL Blue GL, ORASOL Black CN, ORASOL Black RLI（以上Ciba製）、Savinyl Yellow RLS, Savinyl Red 3BLS, Savinyl Pink 6BLS, Savinyl Blue GLS, Savinyl Black RLSN（以上Clariant）があげられる。このほか、Solvent Yellow 25, 88, 89, Solvent Orange 11, 99, Solvent Brown 42, 43, 44, Solvent Red 122, 135, 127, 130, 233, Solvent Blue 67, 70, Solvent Black 27, 28, 29等も本発明の着色体として使用することができる。この他、重合性官能基を有する樹脂成分や溶剤成分に対し分散性を有する分散剤で処理された顔料成分を用いることもできる。
【００１９】
光反応開始剤は、IRGACURE261(チバガイギー社製)、オプトマーS P-150(旭電化工業社製)、オプトマーS P-151旭電化工業社製）、オプトマーSP-152旭電化工業社製）、オプトマーSP-170(旭電化工業社製)、オプトマーSP-171(旭電化工業社製)、オプトマーSP-172(旭電化工業社製)、UVE-1014(ゼネラルエレクトロニクス社製)、CD-1012(サートマー社製)、サンエイドSI-60L(三新化学工業社製) 、サンエイドSI-80L(三新化学工業社製)、サンエイドSI- 100L(三新化学工業社製)、サンエイドSI- 110(三新化学工業社製)、サンエイドSI- 180(三新化学工業社製)、CI-2064(日本曹達社製)、CI-2639(日本曹達社製)、CI-2624(日本曹達社製)、CI-2481(日本曹達社製)、Uvacure  1590（ダイセルUCB）、Uvacure  1591（ダイセルUCB）、RHODORSILPhotoInItiator2074 (ローヌ・プーラン社製)、UVI-6990(ユニオンカーバイド社製)、BBI-103(ミドリ化学社製)、MPI-103(ミドリ化学社製)、TPS-103(ミドリ化学社製)、MDS-103(ミドリ化学社製)、DTS-103(ミドリ化学社製)、DTS-103(ミドリ化学社製)、NAT-103(ミドリ化学社製)、NDS-103(ミドリ化学社製)、CYRAURE UVI6990（ユニオンカーバイト日本）CPI-100P（サンアプロ）、CPI-101A、CPI-200K（サンアプロ）、CPI-210S（サンアプロ）等が挙げられる。これら重合開始剤は単独で適用することも可能であるが、2種以上を組み合わせて使用することもできる。このほか公知の重合促進剤および増感剤等と組み合わせて適用することもできる。これに加えラジカル重合系の光反応開始剤を用いることもできる。
【００２０】
具体的には、2,2-ジメトキシ-1,2-ジフェニルエタン-1-オン、1-ヒドロキシ-シクロヘキシル-フェニル-ケトン、2-ヒドロキシ-2-メチル-1-フェニル-プロパン-1-オン、ベンゾフェノン、1-[4-(2-ヒドロキシエトキシ)-フェニル]-2-ヒドロキシ-2-メチル-1-プロパン-1-オン、2-メチル-1[4-(メチルチオ)フェニル]-2-モリフォリノプロパン-1-オン、2-ベンジル-2-ジメチルアミノ-1-(4-モルフォリノフェニル)-ブタノン-1、ビス(2,6-ジメトキシベンゾイル)-2,4,4-トリメチル-ペンチルフォスフィンオキサイド、2-ヒドロキシ-2-メチル-1-フェニル-プロパン-1-オン、ビス(2,4,6-トリメチルベンゾイル)-フェニルフォスフィンオキサイド、ビス(η-2,4-シクロペンタジエン-1-イル)-ビス(2,6-ジフルオロ-3-(1H-ピロール-1-イル)-フェニル)チタニウムなどが例示される。これら光反応開始剤の組成は反応性や保存安定性の観点から３〜１０ｗｔ％程度が好ましい。
【００２１】
溶剤は、環状カーボネートまたはアルコールであり、重合性官能基を有する樹脂や導電剤、着色材、光反応開始剤に対し溶解性を有する。アルコールはエタノール、1-プロパノール、2-プロパノール、2-メチル2-プロパール、2-ブタノール等単体で100℃以下の沸点をもち、ビニルエーテル基含有モノマとの相溶性を有するものであればよい。また、上記アルコールを２種以上混合してもよい。更に、上記以外のアルコールでも共沸混合物の沸点が１００℃以下になる2種以上のアルコールを組み合わせたものでもよい。また、ソルミックス、エキネン、クリンソルブ（以上日本アルコール販売）等のエタノールを主成分とする混合物である工業用でもよい。添加量は樹脂の硬化性等を考慮し３０wt％以下であることが好ましい。また、アルコールのソルビリティーパラメータは16（cal/cm3）1/2以下であることが、樹脂や導電剤、着色材、光反応開始剤に対し溶解しやすくするために特に好ましい。
【００２２】
また環状カーボネートとは環状構造の一部にカーボネート（CO3）構造を有する化合物であり、具体的にはエチレンカーボネート、ビニレンカーボネート、プロピレンカーボネート、１，２ブチレンカーボネート、グリセリンカーボネート等が例示される。
【００２３】
導電剤は、重合性官能基を有する樹脂および溶剤に対して溶解するとともに、インク中でイオンとして電離するもので、且つ、重合反応を阻害しないものであり、フェニル基が複数個配位したホウ酸陰イオンと金属陽イオンからなる塩である。フェニル基が複数個配位したホウ酸陰イオンとしては、テトラフェニルホウ酸イオンやテトラフロロフェニルホウ酸イオン、テトラフェニルホスホニウムテトラ−ｐ−トリルボラート等が挙げられる。具体的な塩として、テトラフェニルホウ酸リチウムやテトラフェニルホウ酸ナトリウム、テトラフロロフェニルホウ酸ナトリウム等が挙げられる。これら導電剤の添加量は0.1〜1wt％程度添加する。これら導電剤の中でも特にテトラフェニルホウ酸リチウムおよびテトラフェニルホウ酸ナトリウムはインクに対する溶解性およびインク中での電離が良く、少量の添加で導電性を付与できる点で特に好ましい。
【００２４】
光硬化性インクは上記組成物以外に、非反応性樹脂バインダー剤、界面活性剤、可塑剤等を含んでいてもよい。
【００２５】
以下に本発明の実施例に基づいて説明するが、本発明はこれらに限定されるものではない。尚、以下に使用される「部」は特に示さない限りすべて重量基準である。
【実施例１】
【００２６】
重合性官能基付樹脂としてジエチレングリコールジビニルエーテルDVE２（BASF社製）6.8重量部、光反応開始剤CPI-200（サンアプロ社製）0.4重量部、導電剤としてテトラフェニルホウ酸ナトリウム（TPBNa）（アルドリッチ社製）0.05、溶媒として工業用アルコールのソルミックスAP-7（日本アルコール販売社製）1.5重量部と環状カーボネートであるプロピレンカーボネート（PC）（BASF社製）の各成分すべてを250mlガラス管に投入し、200mlになるよう調合し、マグネチックスターラにて30分間攪拌し、各成分の相溶性を確認した。その結果、混合液は透明となり相溶した。次に、着色体としてOrasol Black  RLI（Ciba社製）0.1重量部配合、攪拌し本発明の光硬化型インクを調合した。本インクの抵抗率について、電気導電率計を用い20℃におけるインクの抵抗率を測定した。また、図２に示すように、コンティニュアスインクジェットプリンタの印字ヘッド６に365nmの照度が１W/cm2で露光部が20mm×100mmのUV−LEDランプ７を固定した装置を用い、100mm/sの速さで基材９を移動させ、基材９上に印字ドット８を形成し、硬化させた。その後、アセトン中に浸漬し硬化性を確認した。
【００２７】
結果を表１に示す。相溶性は良好だった。抵抗値も2030Ω・cmで印字特性も良好だった。更に硬化後アセトン浸漬においても溶解せず硬化性も良好だった。
【実施例２】
【００２８】
実施例１と同様の手順で、調合および各評価を実施した。調合の際、導電剤をテトラフェニルホウ酸リチウム（TPBLi）（アルドリッチ社製）とした。調合割合および評価結果を表１に示す。
【００２９】
相溶性は良好だった。抵抗値も2390Ω・cmで印字特性も良好だった。更に硬化後アセトン浸漬においても溶解せず硬化性も良好だった。
【実施例３】
【００３０】
実施例１と同様の手順で、調合および各評価を実施した。調合の際、溶媒をAP-7（日本アルコール販売社製）2重量部と環状カーボネートであるビニレンカーボネート（VC）（東京化成工業社製）とした。調合割合および評価結果を表１に示す。
【００３１】
相溶性は良好だった。抵抗値も1904Ω・cmで印字特性も良好だった。更に硬化後アセトン浸漬においても溶解せず硬化性も良好だった。
【実施例４】
【００３２】
実施例１と同様の手順で、調合および各評価を実施した。調合の際、導電剤をTPBLi（アルドリッチ社製）、溶媒をAP-7（日本アルコール販売社製）2重量部と環状カーボネートであるビニレンカーボネート（VC）（東京化成工業社製）とした。調合割合および評価結果を表１に示す。
【００３３】
相溶性は良好だった。抵抗値も2241Ω・cmで印字特性も良好だった。更に硬化後アセトン浸漬においても溶解せず硬化性も良好だった。
【実施例５】
【００３４】
実施例１と同様の手順で、調合および各評価を実施した。調合の際、溶媒をAP-7（日本アルコール販売社製）3重量部のみとした。調合割合および評価結果を表１に示す。
【００３５】
相溶性は良好だった。抵抗値も2400Ω・cmで印字特性も良好だった。更に硬化後アセトン浸漬においても溶解せず硬化性も良好だった。
【実施例６】
【００３６】
実施例１と同様の手順で、調合および各評価を実施した。調合の際、導電剤をTPBLi（アルドリッチ社製）、溶媒をAP-7（日本アルコール販売社製）3重量部のみとした。調合割合および評価結果を表１に示す。
【００３７】
相溶性は良好だった。抵抗値も2825Ω・cmで印字特性も良好だった。更に硬化後アセトン浸漬においても溶解せず硬化性も良好だった。
【実施例７】
【００３８】
実施例１と同様の手順で、調合および各評価を実施した。調合の際、重合性官能基付樹脂として、エポキシ系官能基を有するCEL2021（ダイセル化学工業社製）とDENACOL  EX-111（ナガセケムテックス社製）を3.4重量部ずつ調合したものを用いた。また、溶媒を環状カーボネートであるビニレンカーボネート（VC）（東京化成工業社製）3重量部のみとした。調合割合および評価結果を表１に示す。
【００３９】
相溶性は良好だった。抵抗値も1680Ω・cmで印字特性も良好だった。更に硬化後アセトン浸漬においても溶解せず硬化性も良好だった。
【実施例８】
【００４０】
実施例１と同様の手順で、調合および各評価を実施した。調合の際、重合性官能基付樹脂として、エポキシ系官能基を有するCEL2021（ダイセル化学工業社製）とDENACOL  EX-111（ナガセケムテックス社製）を3.4重量部ずつ調合したものを用いた。調合割合および評価結果を表１に示す。
【００４１】
相溶性は良好だった。抵抗値も2168Ω・cmで印字特性も良好だった。更に硬化後アセトン浸漬においても溶解せず硬化性も良好だった。
【実施例９】
【００４２】
実施例１と同様の手順で、調合および各評価を実施した。調合の際、重合性官能基付樹脂として、エポキシ系官能基を有するCEL2021（ダイセル化学工業社製）とDENACOL  EX-111（ナガセケムテックス社製）を3.4重量部ずつ調合したものを用いた。また、溶剤としてAP-7（日本アルコール販売社製）2重量部と環状カーボネートであるビニレンカーボネート（VC）（東京化成工業社製）の混合溶剤を用いた。調合割合および評価結果を表１に示す。
【００４３】
相溶性は良好だった。抵抗値も2033Ω・cmで印字特性も良好だった。更に硬化後アセトン浸漬においても溶解せず硬化性も良好だった。
【実施例１０】
【００４４】
実施例１と同様の手順で、調合および各評価を実施した。調合の際、重合性官能基付樹脂として、エポキシ系官能基を有するCEL2021（ダイセル化学工業社製）とDENACOL  EX-111（ナガセケムテックス社製）を3.4重量部ずつ調合したものを用いた。また、溶剤としてAP-7（日本アルコール販売社製）3重量部を用いた。調合割合および評価結果を表１に示す。
【００４５】
相溶性は良好だった。抵抗値も2563Ω・cmで印字特性も良好だった。更に硬化後アセトン浸漬においても溶解せず硬化性も良好だった。
［比較例１］
実施例１と同様の手順で、調合および各評価を実施した。調合の際、溶剤を非環状のカーボネート化合物であるジメチレンカーボネート（東京化成社製）３重量部のみとした。調合割合および評価結果を表１に示す。
【００４６】
相溶性は良好だった。しかし、抵抗率が7000Ω・cmとなり、インク滴への帯電がうまくいかず印字不良を起こした。
［比較例２］
実施例１と同様の手順で調合および各種試験を実施した。調合の際、導電剤として陽イオンが４級アンモニウムイオンであるテトラフェニルホウ酸アンモニウムを0.05重量部加えた。また、溶剤としてAP-7（日本アルコール販売社製）3重量部のみを用いた。その結果、白濁し沈澱が発生し相溶せずインクを作製することができなかった。
［比較例３］
実施例１と同様の手順で調合および各種試験を実施した。調合の際、導電剤として陰イオンがパラトルエンスルフォン酸と陽イオンがナトリウムとの塩であるパラトルエンスルフォン酸ナトリウムを0.05重量部加えた。また、溶剤としてAP-7（日本アルコール販売社製）3重量部のみを用いた。その結果、白濁し沈澱が発生し相溶せずインクを作製することができなかった。
【００４７】
以上の結果より、本発明の溶剤および導電剤成分を適用することで、導電性を確保し良好な印字特性が得られた。
【００４８】
【表１】
2014105298.tif 000003
【符号の説明】
【００４９】
1：ノズル、２帯電電極、３：偏向電極、４：印字面、５：ガター、６：印字ヘッド、７：UV-LEDランプ、８：印字ドット、９基材 
【図１】
2014105298.tif 000004
【図２】
2014105298.tif 000005